(57)【要約】【課題】鼻水や痰等の液状の分泌物を吸引する分泌物吸引装置において、本体とボトルとの着脱を容易にすると共に、ボトル及びキャップの洗浄を容易にする。【解決手段】分泌物吸引装置２は、吸引ポンプＰが内蔵された本体４と、分泌物を収容するボトル６と、ボトル６の上端に装着されたキャップ８とを備える。本体４に形成されたボトル装着部１２には、吸引ポンプＰに接続されたボトルコネクタ１８が上方に向かって突出して配置されている。ボトル６は、円筒状の外側壁３４と、外側壁３４の下端に接続された環状の底壁３６と、底壁３６の内周縁から上方に延びる内側壁３８とを有する。外側壁３４の内周面と底壁３６の上面と内側壁３８の外周面とで分泌物収容空間４０が規定されている。ボトルコネクタ１８は底壁３６の内周縁から内側壁３８の内周面に着脱自在に嵌合し、分泌物収容空間４０はボトル流路４２を介して吸引ポンプＰに接続されている。【選択図】図２
2019187883.tif 000002
【特許請求の範囲】
【請求項１】
鼻水や痰等の液状の分泌物を吸引する分泌物吸引装置であって、
吸引ポンプが内蔵された本体と、前記吸引ポンプを作動して吸引した分泌物を収容するボトルと、前記ボトルの上端に着脱自在に装着されたキャップとを備え、
前記本体には前記ボトルが着脱自在に装着されるボトル装着部が形成され、前記ボトル装着部には前記吸引ポンプに接続されたボトルコネクタが上方に向かって突出して配置され、
前記ボトルは、上下方向に延びる円筒状の外側壁と、前記外側壁の下端に接続された環状の底壁と、前記底壁の中心部に設けられた内周縁から上方に延びる円筒状の内側壁とを有し、前記外側壁の内周面と前記底壁の上面と前記内側壁の外周面とで分泌物収容空間が規定され、
前記本体の前記ボトルコネクタは前記底壁の内周縁から前記内側壁の内周面に着脱自在に嵌合し、前記分泌物収容空間は前記内側壁の内周面によって規定されるボトル流路を介して前記吸引ポンプに接続されている分泌物吸引装置。
【請求項２】
前記ボトルの前記内側壁の上端には、前記分泌物収容空間に収容された分泌物の液位が所定値以上に上昇したときに前記ボトル流路を閉塞するフロートバルブ組立体が着脱自在に嵌合されて設けられている、請求項１に記載の分泌物吸引装置。
【請求項３】
前記キャップには前記分泌物収容空間の上方に位置する分泌物入口開口が形成され、前記分泌物入口開口には下方に向かって前記外側壁の内周面側に傾斜する傾斜流路を有する案内部材が付設されている、請求項１又は２に記載の分泌物吸引装置。
【請求項４】
前記ボトル装着部は、中心部に前記ボトルコネクタが配置された円形状の載置面と、前記載置面の周縁から上方に延びる円筒状の支持面とを有する、請求項１から３までのいずれかに記載の分泌物吸引装置。
【発明の詳細な説明】
【技術分野】
【０００１】
本発明は、乳幼児等の鼻水や痰等の液状の分泌物を吸引する分泌物吸引装置に関するものである。
【背景技術】
【０００２】
鼻水や痰等の液状の分泌物を自身で適切に排出するのが困難である乳幼児等の分泌物を吸引するための分泌物吸引装置が実用に供されている。このような分泌物吸引装置として、下記特許文献１には、吸引ポンプが内蔵された本体と、吸引ポンプを作動して吸引した分泌物を収容するボトルと、ボトルの上端に着脱自在に装着されたキャップとを備えた分泌物吸引装置が開示されている。
【０００３】
この分泌物吸引装置の本体の上面には、本体に内蔵された内部ホース等を介して吸引ポンプに接続された接続口が設けられている。一方、キャップの上面には、レールを介して着脱自在にブラケットが接続され、このブラケットには、本体の外部に配置された外部ホースの一端部が接続されている。この外部ホースの他端部は本体上面の接続口に接続されている。また、キャップの上面には、乳幼児等の対象者に適用される吸引ホースも接続されている。そして、この分泌物吸引装置では、吸引ポンプを作動させると、内部ホースと外部ホースとボトル内部とを介して吸引ホースに吸引ポンプの負圧が作用する。これによって、乳幼児等の対象者の分泌物が吸引されてボトル内部に収容される。
【先行技術文献】
【特許文献】
【０００４】
【特許文献１】特開２０１６−８７０８０号公報
【０００５】
分泌物吸引装置においては、分泌物を収容するボトルやキャップを適宜洗浄する必要があるため、本体とボトルとの着脱が容易であると共に、ボトル及びキャップの洗浄が容易であることが求められている。しかし、上記特許文献１に開示された分泌物吸引装置では、本体とボトルとを着脱する際に、外部ホースが接続されたブラケットとキャップとを着脱する必要があり煩雑であるという問題がある。また、キャップは、吸引ホースの接続部やブラケットを接続するためのレールを有し構造が比較的複雑であるため、キャップを洗浄するのに手間がかかるという問題もある。
【０００６】
また、液状の分泌物を吸引する過程で分泌物が吸引ポンプに浸入すると、吸引ポンプに重大な損傷を与えるおそれがあるため、このような分泌物吸引装置では、ボトル内にフロートバルブを設置し、分泌物の液位が所定値以上に上昇しときは吸引ポンプとの接続を遮断するものが多い。このフロートバルブも適宜洗浄する必要があるため、接近し易い位置に着脱容易に装着するのが望ましい。
【発明の概要】
【発明が解決しようとする課題】
【０００７】
上記事実に鑑みてなされた本発明の課題は、本体とボトルとの着脱あるいはボトルに設置したフロートバルブの着脱が容易であると共に、ボトル及びキャップの洗浄が容易である分泌物吸引装置を提供することである。
【課題を解決するための手段】
【０００８】
上記課題を解決するために本発明が提供するのは、特許請求の範囲の請求項１に記載された分泌物吸引装置である。すなわち、「鼻水や痰等の液状の分泌物を吸引する分泌物吸引装置であって、吸引ポンプが内蔵された本体と、前記吸引ポンプを作動して吸引した分泌物を収容するボトルと、前記ボトルの上端に着脱自在に装着されたキャップとを備え、前記本体には前記ボトルが着脱自在に装着されるボトル装着部が形成され、前記ボトル装着部には前記吸引ポンプに接続されたボトルコネクタが上方に向かって突出して配置され、前記ボトルは、上下方向に延びる円筒状の外側壁と、前記外側壁の下端に接続された環状の底壁と、前記底壁の中心部に設けられた内周縁から上方に延びる円筒状の内側壁とを有し、前記外側壁の内周面と前記底壁の上面と前記内側壁の外周面とで分泌物収容空間が規定され、前記本体の前記ボトルコネクタは前記底壁の内周縁から前記内側壁の内周面に着脱自在に嵌合し、前記分泌物収容空間は前記内側壁の内周面によって規定されるボトル流路を介して前記吸引ポンプに接続されている分泌物吸引装置」である。
【０００９】
本発明の実施形態として、請求項２に記載のとおり、前記ボトルの前記内側壁の上端には、前記分泌物収容空間に収容された分泌物の液位が所定値以上に上昇したときに前記ボトル流路を閉塞するフロートバルブ組立体が着脱自在に嵌合されて設けられているように構成するのが好ましい。また、請求項３に記載のとおり、前記キャップには前記分泌物収容空間の上方に位置する分泌物入口開口が形成され、前記分泌物入口開口には下方に向かって前記外側壁の内周面側に傾斜する傾斜流路を有する案内部材が付設されているのが好適である。さらに、請求項４に記載のとおり、前記ボトル装着部は、中心部に前記ボトルコネクタが配置された円形状の載置面と、前記載置面の周縁から上方に延びる円筒状の支持面とを有するのが好都合である。
【発明の効果】
【００１０】
本発明が提供する分泌物吸引装置では、本体のボトルコネクタをボトルの底壁の内周縁から内側壁の内周面に嵌合させることによって、ボトルの内側壁の内周面によって規定されるボトル流路を介してボトルの分泌物収容空間を吸引ポンプに接続することができるので、ボトル又はキャップと本体とを外部ホース等によって接続する必要がなく、本体にボトルを容易に装着することができる。また、本発明の分泌物吸引装置では、底壁の内周縁が底壁の中心部に設けられているので、ボトルとボトル装着部との周方向の位置合わせが不要であり、方向性を問わず本体にボトルを装着することができる。
【００１１】
また、本発明の分泌物吸引装置では、ボトルを持ち上げてボトルコネクタと内側壁の内周面との嵌合を解除することによって、本体からボトルを容易に取り外すことができる。
【００１２】
さらに、本発明の分泌物吸引装置では、ボトル流路を介して分泌物収容空間と吸引ポンプとが接続されるので、ボトル又はキャップと本体とを接続する外部ホースや、このような外部ホースをキャップに装着するためのブラケット等は必要なく、ボトル及びキャップは比較的シンプルに構成され得るので、ボトル及びキャップの洗浄が容易である。
【００１３】
請求項２の実施形態の分泌物吸引装置では、ボトルの内側壁の上端には、分泌物収容空間に収容された分泌物の液位が所定値以上に上昇したときにボトル流路を閉塞するフロートバルブ組立体が着脱自在に嵌合されて設けられているから、分泌物収容空間に収容された分泌物がボトル流路を通って吸引ポンプに浸入するのが防止されると共に、ボトルからキャップを取り外すことによりフロートバルブ組立体に接近することができ、フロートバルブ組立体の着脱及び洗浄が容易である。
【００１４】
請求項３の実施形態の分泌物吸引装置では、キャップには分泌物収容空間の上方に位置する分泌物入口開口が形成され、分泌物入口開口には下方に向かって外側壁の内周面側に傾斜する傾斜流路を有する案内部材が付設されている。この案内部材によって、吸引された液状の分泌物は外側壁に向け流出してボトルの外側壁の内周面に付着し、そのまま下方に流れ落ちるので、分泌物がボトル流路に浸入するのが、より確実に防止される。
【００１５】
請求項４の実施形態の分泌物吸引装置では、ボトル装着部は、中心部にボトルコネクタが配置された円形状の載置面と、載置面の周縁から上方に延びる円筒状の支持面とを有する。したがって、本体にボトルを装着する際は、ボトルの外側壁が支持面によって案内されるので本体へのボトルの装着が容易であると共に、本体にボトルが装着されると外側壁が支持面によって支持されるからボトル装着部にボトルが確実に保持される。
【図面の簡単な説明】
【００１６】
【図１】本発明に従って構成された分泌物吸引装置の分解斜視図。
【図２】図１に示す分泌物吸引装置の断面図。
【図３】図１に示すボトルの断面図。
【図４】図２に示す第２のコネクタの断面図。
【図５】（ａ）図２に示すバルブパッキンの平面図、（ｂ）（ａ）におけるＡ−Ａ線断面図。
【図６】（ａ）図２に示すフロートシリンダーの平面図、（ｂ）（ａ）におけるＢ−Ｂ線断面図。
【図７】図２に示すフロートの断面図。
【発明を実施するための形態】
【００１７】
以下、本発明に従って構成された分泌物吸引装置の好適実施形態について図面を参照しつつ説明する。
【００１８】
図１及び図２を参照して説明すると、全体を符号２で示す分泌物吸引装置は、乳幼児等の鼻水や痰等の液状の分泌物を吸引するための装置であり、吸引ポンプＰ（図２参照。）が内蔵された本体４と、吸引ポンプＰを作動して吸引した分泌物を収容するボトル６と、ボトル６の上端に着脱自在に装着されたキャップ８とを備える。
【００１９】
図示の実施形態では、本体４のケース１０は、上部１０ａと下部１０ｂとの上下二分割構造になっている。ケース１０の上部１０ａには、ボトル６が着脱自在に装着されるボトル装着部１２が形成されている。このボトル装着部１２は、ボトル６が載置される円形状の載置面１４と、載置面１４の周縁から上方に延びる円筒状の支持面１６とを有する全体として有底円筒状の凹所として構成されている。
載置面１４の中心部には、Ｌ字状のボトルコネクタ１８の上端側部分が上方に向かって載置面１４から突出して配置されている。このボトルコネクタ１８の上端側外周面には、一対のＯリング１８ａが上下方向に間隔をおいて装着されている。また、ボトルコネクタ１８の下端側部分は、本体４に内蔵された適宜の内部ホース（図示していない。）等を介して吸引ポンプＰに接続されている。
【００２０】
図１に示すとおり、本体４のケース１０の側面には視認用窓部２０が形成されており、この窓部２０を通してボトル６に収容された分泌物の液位を確認することができるようになっている。ケース１０の上面には、電源スイッチ２２と、ＬＥＤライト等の照明手段（図示していない。）を点灯させるための照明スイッチ２４とが設けられている。夜間の薄暗い寝室等で分泌物吸引装置２を使用する場合に照明手段を点灯させることにより、吸引すべき分泌物をはっきりと確認することができる。
【００２１】
さらに、ケース１０の上面には、吸引ポンプＰの吸引圧力を調節するための調節ダイヤル２６と、吸引圧力を表示するメーター２８と、乳幼児等の対象者に適用される吸引ホース３０の先端部分を一時的に差し込むための有底円筒状のホースホルダー３２とが設けられている。
【００２２】
図２及び図３を参照して説明すると、ボトル６は、上下方向に延びる円筒状の外側壁３４と、外側壁３４の下端に接続された環状の底壁３６と、底壁３６の中心部に設けられた内周縁から上方に延びる円筒状の内側壁３８とを有する。このように構成されるボトル６においては、外側壁３４の内周面と底壁３６の上面と内側壁３８の外周面とで、吸引ポンプＰを作動して吸引した分泌物を収容する円筒状の分泌物収容空間４０が規定されている。そして、本体４のボトルコネクタ１８が底壁３６の内周縁から内側壁３８の内周面に着脱自在に嵌合し、分泌物収容空間４０は内側壁３８の内周面によって規定されるボトル流路４２を介して吸引ポンプＰに接続されている。
【００２３】
図２及び図３に示すとおり、ボトル６の内側壁３８の上端には、分泌物収容空間４０に収容された分泌物の液位が所定値以上に上昇したときにボトル流路４２を閉塞するフロートバルブ組立体４４が着脱自在に嵌合されて設けられている。図示の実施形態におけるフロートバルブ組立体４４は、一端側が内側壁３８の上端に着脱自在に嵌合されたＬ字状の第１のコネクタ４６と、第１のコネクタ４６の他端側に着脱自在に嵌合された第２のコネクタ４８とを含む。
【００２４】
第１のコネクタ４６の一端側外周面には一対のＯリング４６ａが互いに間隔をおいて装着され、第１のコネクタ４６の他端側外周面にも一対のＯリング４６ｂが互いに間隔をおいて装着されている。図３及び図４に示すとおり、Ｌ字状流路を構成する第２のコネクタ４８は、Ｌ字状流路の下端側部分を規定する円筒状の内側嵌合壁５０と、内側嵌合壁５０の径方向外方に位置する円筒状の外側嵌合壁５２とを備える。
【００２５】
図３に示すとおり、フロートバルブ組立体４４は、さらに、第２のコネクタ４８の内側嵌合壁５０の内周面に着脱自在に嵌合された円筒状のバルブパッキン５４と、第２のコネクタ４８の外側嵌合壁５２の外周面に着脱自在に嵌合された有底円筒状のフロートシリンダー５６と、フロートシリンダー５６の内部に昇降自在に設けられた円盤状のフロート５８とを含む。
【００２６】
シリコンゴム等の適宜の弾性部材から形成されているバルブパッキン５４の外周面には、図５に示すとおり、第２のコネクタ４８の内周面に密着する複数の環状抜け止め突起５４ａが形成されている。また、バルブパッキン５４の下端側内周面には、下方に向かって次第に直径が大きくなるシート面５４ｂが形成されている。
【００２７】
図６に示すとおり、フロートシリンダー５６の側面には、吸引ポンプＰを作動して吸引した空気が通る複数の通気開口６０が周方向に間隔をおいて形成されている。また、フロートシリンダー５６の逆円錐状底面の中心部には、分泌物収容空間４０に収容された分泌物がフロートシリンダー５６の内部に浸入するための円形の分泌物浸入開口６２が形成されている。
【００２８】
図７に示すとおり、フロート５８の上面及び下面には、円錐状部分５８ａ及び５８ｂが形成されている。そして、フロートシリンダー５６の開放された上端部からフロートシリンダー５６の内部に昇降自在に挿入されているフロート５８は、分泌物収容空間４０に収容された分泌物の液位が所定値以上に上昇したとき、分泌物浸入開口６２からフロートシリンダー５６内に侵入した分泌物によって上昇され、上面の円錐状部分５８ａがバルブパッキン５４のシート面５４ｂに密着してボトル流路４２を閉塞するようになっている。これによって、分泌物収容空間４０に収容された分泌物がボトル流路４２を通って吸引ポンプＰに浸入するのが防止される。
【００２９】
図１及び図２を参照してキャップ８について説明する。キャップ８は、円弧状断面の天面壁６４と、天面壁６４の周縁から下方に延びる円筒状のスカート壁６６と、スカート壁６６の径方向内方において天面壁６４の下面周縁部から下方に延びる環状の保持壁６８（図２参照。）とを含む。スカート壁６６の内周面と保持壁６８の外周面との間には、環状のキャップパッキン７０が配置されている。
【００３０】
キャップ８の天面壁６４には、ボトル６の分泌物収容空間４０の上方に位置する円形の分泌物入口開口７２が形成されている。図２に示すとおり、分泌物入口開口７２には、下方に向かってボトル６の外側壁３４の内周面側に傾斜する傾斜流路７４ａを有する案内部材７４が付設されている。図示の実施形態では、天面壁６４の下面に、分泌物入口開口７２の周縁から下方に延びる円筒状の装着壁７６が形成され、この装着壁７６の外周面に案内部材７４の上端側部分の内周面が着脱自在に嵌合されている。また、分泌物入口開口７２には、天面壁６４の上方に突出するＬ字状の吸引ホースコネクタ７８が着脱自在に装着されている。この吸引ホースコネクタ７８の下端側外周面には、上下方向に間隔をおいて一対のＯリング７８ａが装着されている。また、吸引ホースコネクタ７８の上端側部分には吸引ホース３０が着脱自在に接続されている。
【００３１】
次に、上述したとおりの分泌物吸引装置２の使用方法等について説明する。分泌物吸引装置２を使用する際は、まず、フロートバルブ組立体４４及びキャップ８を装着したボトル６をボトル装着部１２に差し込み、ボトル６の底壁３６をボトル装着部１２の載置面１４に載置すると共に、本体４のボトルコネクタ１８を底壁３６の内周縁から内側壁３８の内周面に嵌合させる。これによって、ボトル流路４２やボトルコネクタ１８、内部ホース等を介して、ボトル６の分泌物収容空間４０を吸引ポンプＰに接続することができる。したがって、本発明の吸引装置では、本体４にボトル６を装着する際に、ボトル６又はキャップ８と本体４とを外部ホース等によって接続する必要がなく、本体４にボトル６を容易に装着することができる。
【００３２】
さらに、本発明の吸引装置では、底壁３６の内周縁が底壁３６の中心部に設けられており、かつボトルコネクタ１８が載置面１４の中心部に設けられているので、ボトル６とボトル装着部１２との周方向の位置合わせが不要であり、ボトル装着部１２の支持面１６に沿ってボトル６を差し込むことにより、方向性を問わず本体４にボトル６を装着することができる。また、本体４にボトル６を装着する際は、ボトル６の外側壁３４がボトル装着部１２の支持面１６によって案内されるので、本体４へのボトル６の装着が容易である。そして、本体４にボトル６が装着されると、外側壁３４が支持面１６によって支持されるから、ボトル装着部１２にボトル６が確実に保持される。
【００３３】
本体４にボトル６を装着した後は、吸引ホースコネクタ７８を介してキャップ８と吸引ホース３０とを接続する。次いで、電源スイッチ２２を操作して吸引ポンプＰを作動させた後、メーター２８を確認しながら調節ダイヤル２６を操作して、吸引ポンプＰの吸引圧力を適宜調節する。そして、吸引ホース３０の先端を乳幼児の鼻孔等の対象部位に接近させる。そうすると、吸引ポンプＰの負圧によって分泌物が吸引される。
空気と共に吸引された分泌物は、分泌物収容空間４０において空気と分離されて分泌物収容空間４０に収容される。図示の実施形態では、キャップ８の分泌物入口開口７２に、下方に向かって外側壁３４の内周面側に傾斜する傾斜流路７４ａを有する案内部材７４が付設されているので、分泌物が外側壁３４の内周面に付着して下方に落下し、ボトル流路４２に浸入するのが、より確実に防止されている。また、分泌物と分離した空気はフロートバルブ組立体４４の内部及びボトル流路４２等を通って吸引ポンプＰの排気口（図示していない。）から排気される。
【００３４】
分泌物の吸引を繰り返し、分泌物収容空間４０に収容された分泌物の液位が所定値以上に上昇すると、フロート５８の上面の円錐状部分５８ａがバルブパッキン５４のシート面５４ｂに密着してボトル流路４２を閉塞する。これによって、分泌物収容空間４０に収容された分泌物がボトル流路４２を通って吸引ポンプＰに浸入するのが防止される。
【００３５】
そして、分泌物収容空間４０に収容された分泌物を廃棄し、ボトル６やキャップ８を洗浄する際は、ボトル６を持ち上げてボトル装着部１２から引き抜き、ボトルコネクタ１８と内側壁３８の内周面との嵌合を解除する。これによって、本体４からボトル６を容易に取り外すことができる。本発明の吸引装置では、ボトル流路４２を介して分泌物収容空間４０と吸引ポンプＰとが接続されるので、ボトル６又はキャップ８と本体４とを接続する外部ホースや、このような外部ホースをキャップ８に装着するためのブラケット等は必要なく、ボトル６及びキャップ８は比較的シンプルに構成され得るので、ボトル６及びキャップ８の洗浄が容易である。
【００３６】
さらに、図示の実施形態では、ボトル６の内側壁３８の上端にフロートバルブ組立体４４が着脱自在に嵌合されて設けられているから、ボトル６からキャップ８を取り外すことによりフロートバルブ組立体４４に接近することができ、フロートバルブ組立体４４を容易に取り外し、個々の部品ごとに分解して洗浄することができる。
【符号の説明】
【００３７】
２：分泌物吸引装置
４：本体
６：ボトル
８：キャップ
１２：ボトル装着部
１４：載置面
１６：支持面
１８：ボトルコネクタ
３４：外側壁
３６：底壁
３８：内側壁
４０：分泌物収容空間
４２：ボトル流路
４４：フロートバルブ組立体
７２：分泌物入口開口
７４：案内部材
７４ａ：傾斜流路
Ｐ：吸引ポンプ
【図１】
2019187883.tif 000003
【図２】
2019187883.tif 000004
【図３】
2019187883.tif 000005
【図４】
2019187883.tif 000006
【図５】
2019187883.tif 000007
【図６】
2019187883.tif 000008
【図７】
2019187883.tif 000009